(57)【要約】【課題】水しぶきが衣服等にかかるのを確実に防止するとともに使用者の食器等の洗い作業に障害を及ぼすことも無く、流し台に容易に取り付けることができる流し台用水跳ね防止具を提供する。【解決手段】流し台の周縁部に着脱可能とした支持体と、前記支持体を介して流し台の周縁部に取り付けられるスクリーン部材を備え、前記スクリーン部材には水しぶき遮断用のスクリーン面部と、前記スクリーン面部に対向し、且つ断面湾曲状に窪む湾曲面部とを備える。【選択図】図１
0003141179.tif 000002
【実用新案登録請求の範囲】
【請求項１】
流し台の周縁部に着脱可能とした支持体と、前記支持体を介して流し台の周縁部に取り付けられるスクリーン部材を備え、前記スクリーン部材には水しぶき遮断用のスクリーン面部と、前記スクリーン面部に対向し且つ断面湾曲状に窪む湾曲面部とを備えたことを特徴とする流し台用水跳ね防止具。
【請求項２】
スクリーン部材の湾曲面部に複数のマッサージ用突起部を備えたことを特徴とする請求項１に記載の流し台用水跳ね防止具。
【請求項３】
スクリーン部材の湾曲面部に備えた複数のマッサージ用突起部がスクリーン部材に対して回転可能であることを特徴とする請求項１または請求項２に記載の流し台用水跳ね防止具。
【請求項４】
スクリーン部材の左右両側端部の少なくとも一方に、横方向に伸縮自在とした補助片部を備えたことを特徴とする請求項１〜３のいずれかに記載の流し台用水跳ね防止具。
【請求項５】
支持体に流し台の周縁部を挟持可能とした一対の板状対向脚部が備えられ、前記一対の板状対向脚部のうち流し台外側に配置される外側板状対向脚部の縁部に、流し台の外側面に突出する突起部を挿通可能とした切り込み部を形成したことを特徴とする請求項１〜４のいずれかに記載の流し台用水跳ね防止具。
【請求項６】
スクリーン部材が支持体に対して着脱可能に取り付けられることを特徴とする請求項１〜５のいずれかに記載の流し台用水跳ね防止具。
【考案の詳細な説明】
【技術分野】
【０００１】
本考案は流し台用水跳ね防止具に関する。
【背景技術】
【０００２】
従来、流し台の使用時、水道の蛇口等からの放流水の水しぶきが使用者の衣服等にかかるのを防ぐ水はね防止ガードが知られている（特許文献１を参照）。
【０００３】
前記従来形式の水はね防止ガードは、流し台の槽内壁面に吸盤部材を介して楕円形の平板状本体を起立状に取り付けるようにしたものであるが、当該水はね防止ガードの平板状本体の上背はかなり高く、また横幅が短いので、使用者は流し台での作業をスムーズに行い難いばかりでなく、該平板状本体の両側から水しぶきを受けやすいという問題があった。
【特許文献１】特開平１１−６１９２４号公報
【考案の開示】
【考案が解決しようとする課題】
【０００４】
この考案は、上記問題点を解消するためになされたもので、水しぶきが衣服等にかかるのを確実に防止するとともに、使用者の食器等の洗い作業に障害を及ぼすことも無く、流し台に容易に取り付けることができる流し台用水跳ね防止具を提供することを目的とする。さらに、流し台での洗い作業中に健康及び美容を有効に増進することができる流し台用水跳ね防止具を提供することを目的とする。
【課題を解決するための手段】
【０００５】
請求項１に記載の流し台用水跳ね防止具は、流し台の周縁部に着脱可能とした支持体と、前記支持体を介して流し台の周縁部に取り付けられるスクリーン部材を備え、前記スクリーン部材には水しぶき遮断用のスクリーン面部と、前記スクリーン面部に対向し、且つ断面湾曲状に窪む湾曲面部とを備えたことを特徴とするものである。
【０００６】
請求項２に記載の流し台用水跳ね防止具は、スクリーン部材の湾曲面部に複数のマッサージ用突起部を備えたことを特徴とするものである。
【０００７】
請求項３に記載の流し台用水跳ね防止具は、スクリーン部材の湾曲面部に備えた複数のマッサージ用突起部がスクリーン部材に対して回転可能であることを特徴とするものである。
【０００８】
請求項４に記載の流し台用水跳ね防止具は、スクリーン部材の左右両側端部の少なくとも一方に、横方向に伸縮自在とした補助片部を備えたことを特徴とするものである。
【０００９】
請求項５に記載の流し台用水跳ね防止具は、支持体に流し台の周縁部を挟持可能とした一対の板状対向脚部が備えられ、前記一対の板状対向脚部のうち流し台外側に配置される外側板状対向脚部の縁部に、流し台の外側面に突出する突起部を挿通可能とした切り込み部を形成したことを特徴とするものである。
【００１０】
請求項６に記載の流し台用水跳ね防止具は、支持体がスクリーン部材に対して着脱可能に取り付けられることを特徴とするものである。
【考案の効果】
【００１１】
本考案の請求項１に記載の水跳ね防止具によれば、スクリーン部材に断面湾曲状に窪む湾曲面部を備えたので、流し台に対峙した使用者の胴回りが前記湾曲面部に嵌合して、前記湾曲面が使用者の胴回りを包囲することとなり、流し台での作業時には、水道の蛇口等から放射状に飛び散った水しぶきが使用者の衣服等にかかるのを確実に防止することができるとともに、食器類等の水洗い等の動作をスムーズに行うことができるという優れた作用効果を奏し得る。
【００１２】
本考案の請求項２に記載の水跳ね防止具によれば、スクリーン部材の湾曲面部に複数のマッサージ用突起部を備えたので、使用者がスクリーン部材の湾曲面部に胴回りを嵌合させて水洗い作業をする際、複数のマッサージ用突起部に胴回りを押圧することで指圧効果を得ることができ、使用者の体重の減量化等、健康および美容を有効に増進するという優れた作用効果を奏し得る。
【００１３】
本考案の請求項３に記載の水跳ね防止具によれば、スクリーン部材の湾曲面部に備えられた複数のマッサージ用突起部がスクリーン部材に対して回転可能としたので、使用者がスクリーン部材の湾曲面部に胴回りを嵌合させて水洗い作業をする際、使用者の腰の回転や左右への少しの動きを行い易くするとともに、マッサージ用突起部に擦られた胴回り周辺の血流やリンパの流れがよくなり、より一層使用者の体重の減量化等、健康および美容を有効に増進するという優れた作用効果を奏し得る。
【００１４】
本考案の請求項４に記載の水跳ね防止具によれば、スクリーン部材の左右両側端部の少なくとも一方に、横方向に伸縮自在とした補助片部を備えたので、スクリーン部材からはみ出した使用者の胴回りを包囲するようにスクリーン部材の横幅を調節することができ、水道の蛇口等から放射状に飛び散った水しぶきの横からの進入を確実に防止し、使用者の衣服等に水しぶきがかからないという優れた作用効果を奏し得る。
【００１５】
本考案の請求項５に記載の水跳ね防止具によれば、支持体の一対の板状対向脚部のうち、流し台の外側に位置する外側板状対向脚部の縁部に切り込み部を形成したので、流し台の外側面に、たとえば、扉の取手等の突起部が存在するときでも、該突起部等を前記切り込み部に挿通させることにより、該支持体の一対の対向板状脚部で流し台の周縁部を挟持させて当該水跳ね防止具をスムーズに装着することができるという優れた作用効果を奏し得る。
【００１６】
本考案の請求項６に記載の水跳ね防止具によれば、スクリーン部材が支持体に対して着脱可能に取り付けられているので、予め支持体を流し台の周縁部に装着しておき、流し台使用時のみにスクリーン部材を支持体に取り付けることができるとともに、流し台の不使用時には、スクリーン部材のみを取り外して収納できるという優れた作用効果を奏し得る。
【考案を実施するための最良の形態】
【００１７】
以下、図面に示す実施の形態により、本考案を詳細に説明する。
図１〜図３に示す本考案の第１の実施の形態において、流し台用水跳ね防止具１はスクリーン部材２と、前記スクリーン部材２に取り付けられた支持体３とから構成されている。
【００１８】
前記スクリーン部材２は、耐熱性を有する硬質の合成樹脂材で形成され、水しぶき遮断用のスクリーン面部２３と、前記スクリーン面部２３に対向し、且つ両側から中央にかけて断面湾曲状に窪んだ直立の湾曲面部２１を備えている。前記湾曲面部２１は、流し台に対峙した使用者の胴回り前面が嵌合可能となるように形成されている。
【００１９】
前記スクリーン部材２の横幅は、使用者の胴部横幅に合わせて、例えば、１８〜２３ｃｍ、高さは１２〜１５ｃｍに設定されている。
【００２０】
また、前記湾曲面部２１の表面全域には半球状のマッサージ用突起部４１が複数備えられている。このマッサージ用突起部４１の直径は１ｃｍ以上が好ましく、３ｃｍ以上であれば冬用の厚手の着衣の上からでも指圧効果が得られるのでより好ましい。
【００２１】
前記湾曲面部２１に対向するスクリーン面部２３は、斜め上方を向くように傾斜し、この傾斜面の下端が流し台の槽内の上方に位置している。これにより、使用時、スクリーン面部２３に付着した水滴が斜面を伝って流し台５の槽内に流れ落ちる。
【００２２】
前記支持体３は、前記スクリーン部材２と同様に耐熱性を有する硬質の合成樹脂材で形成され、所定の間隔をあけて平行状に対向する一対の板状対向脚部３１、３２と、前記一対の板状対向脚部３１、３２の上端を連結する連結部３３とを備えた断面コの字型の形状に形成されている。
【００２３】
前記支持体３の一対の板状対向脚部３１、３２の間の内幅は、流し台５の周縁部５１に取り付けることができる長さ、例えば前記周縁部５１の厚みに合わせて４ｃｍ〜６ｃｍとすることが好ましい。また、支持体３の横幅は、前記スクリーン部材２の横幅と同一に設定される。また、前記一対の板状対向脚部３１、３２の高さは流し台５の槽の深さに合わせて１２〜１４ｃｍに設定されている。
【００２４】
前記一対の板状対向脚部３１、３２のうち、流し台５の周縁部５１に取り付けた際に、この周縁部５１の外側に配置される外側板状対向脚部３１には、流し台の外側面に突出した突起部、例えば引き戸の取手５３を挿通可能とする切り込み部３５が備えられている。
【００２５】
また、前記外側板状対向脚部３１の外側面にも、前記スクリーン部材２の湾曲面部２１に備えたのと同様のマッサージ用突起部４１が設けられている。
【００２６】
なお、前記外側板状対向脚部３１の外側中央領域３７と前記スクリーン部材２の湾曲面部２１の中央領域２２とが面一状になるように、前記支持体３の連結部３３の上部に、前記スクリーン部材２の底面が一体的に取り付けられている。
【００２７】
以上の流し台用水跳ね防止具１は、流し台５の周縁部５１の上から嵌め込んで、支持体３の一対の対向脚部３１、３２で前記周縁部５１を挟持するように取り付けられる。使用者は胴回りをスクリーン部材２の湾曲面部２１に嵌合させて水洗い作業をすると、水道の蛇口５２から放射状に飛び散った水しぶきをスクリーン面部２３で受け止めるので、水しぶきが使用者の衣服等にかかるのを確実に遮断することができるとともに、使用者の食器等の洗い作業をスムーズに行うことができる。
【００２８】
なお、不使用時には、流し台用水跳ね防止具１を上に引き上げるだけで、簡単に取り外すことができるので便利である。
【００２９】
また、前記スクリーン部材２及び前記支持体３は、耐熱性を有する硬質の合成樹脂材に限らず、弾力性のあるシリコンゴム等のゴム材で形成されてもよい。
【００３０】
次に、図４〜７に示す本考案の他の実施の形態につき説明する。
なお、これらの本考案の他の実施の形態の説明にあたって、前記本考案の第１の実施の形態と同一構成部分には同一符号を付して重複する説明を省略する。
【００３１】
図４に示す本考案の第２の実施の形態において、前記本考案の第１の実施の形態と主に異なる点は、マッサージ用突起部４１がスクリーン部材２に対して回転可能とした点である。具体的には、スクリーン部材２の湾曲面部２１の上下両端に、一対の対向片４５、４５が取り付けられ、前記一対の対向片４５、４５には支軸４４が垂直に８〜１３本架設され、この支軸４４に複数のマッサージ用突起部４１が回転可能に取り付けられている。
【００３２】
これにより、使用者の腰の回転や左右への動きが行い易く、さらに前記マッサージ用突起部４１に擦られた胴回り周辺の血流やリンパの流れがよくなり、より一層使用者の体重の減量化等、健康および美容を有効に増進する。
【００３３】
なお、第２の実施の形態における前記複数のマッサージ用突起部４１について、前記態様に限定されるものではなく、例えば、各支軸４４の上端から下端にかけての外周に螺旋状の突起部を周設して、この支軸を一対の対向片４５、４５に回転可能に取り付けてもよい。
【００３４】
図５に示す本考案の第３の実施の形態において、前記本考案の第１の実施の形態と主に異なる点は、スクリーン部材２の左右両側端部に、横方向に伸縮自在とした補助片部２５を形成した点である。具体的には、スクリーン部材２の左右両側端部に中空状の収納部２６が内蔵されており、前記収納部２６に収納可能で、かつ横方向に伸縮自在とした補助片部２５が備えられている。
【００３５】
これにより、使用時、スクリーン部材２の幅よりはみ出た使用者の胴回りを補助片部２５で包囲することができるので、水道の蛇口５２から放射状に飛び散った水しぶきの横からの侵入を確実に防止して、使用者の衣服等に水しぶきがかからないようにすることができる。
【００３６】
図６、または図７に示す本考案の第４の実施の形態において、前記本考案の第１の実施の形態と主に異なる点は、スクリーン部材２が支持体３に対して着脱可能に取り付けられている点である。具体的には、支持体３の連結部３３の天面中央に嵌合溝６２が備えられ、一方スクリーン部材２の底面中央には、前記嵌合溝６２に嵌合可能な嵌合突起部６１が備えられている。これにより、使用時には前記嵌合溝６２と嵌合突起部６１を嵌合させて、スクリーン部材２と支持体３を連結することができる。
【図面の簡単な説明】
【００３７】
【図１】本考案の第１の実施の形態の斜視図。
【図２】本考案の第１の実施の形態の側面図。
【図３】本考案の第１の実施の形態の使用状態の説明図。
【図４】本考案の第２の実施の形態の斜視図。
【図５】本考案の第３の実施の形態の斜視図。
【図６】本考案の第４の実施の形態の斜視図。
【図７】本考案の第４の実施の形態の斜視図。
【符号の説明】
【００３８】
１    流し台用水跳ね防止具
２    スクリーン部材
３    支持体
５    流し台
２１    湾曲面部
２２    中央領域
２３    スクリーン面部
２５    補助片部
２６    収納部
３１    外側対向脚部
３２    内側対向脚部
３３    連結部
３５    切り込み部
３７    外側中央領域
４１    マッサージ用突起部
４４    支軸
４５    対向片
５１    周縁部
５２    蛇口
５３    取手
６１    嵌合突起部
６２    嵌合溝
【図１】
0003141179.tif 000003
【図２】
0003141179.tif 000004
【図３】
0003141179.tif 000005
【図４】
0003141179.tif 000006
【図５】
0003141179.tif 000007
【図６】
0003141179.tif 000008
【図７】
0003141179.tif 000009